(57)【要約】【課題】確実に作動でき、生産コストを削減できるカメラ用駆動装置のステッピングモーターを提供する。【解決手段】ヨーク１０は、一つの基部１２と、基部１２の両側に形成されている二つのアーム部と、アーム部の自由端及びアーム部と基部の間に別々に形成されている四つの磁極を有する。二つのコイル２０は、アーム部の外周に別々に被るように装着されている。磁石３０は、円周方向に沿って複数の区域を形成するように磁化することにより異なる極性を交替可能な磁極を生成する円柱状の鉄心を有し、鉄心は磁力の働きを受けて浮動することにより回転可能となるように磁極の間に配置されている。ハンドル４０は、磁石３０に連接され、それに伴って同期回転が可能となり、カメラの所定の物件を駆動可能な連動部を有する。【選択図】図１
0003121367.tif 000002
【実用新案登録請求の範囲】
【請求項１】
一つの基部と、基部の両側に形成されている二つのアーム部と、アーム部の自由端及びアーム部と基部の間に別々に形成されている四つの磁極とを有するヨークと、
ヨークの二つのアーム部の外周に別々に被るように装着されている二つのコイルと、
円周方向に沿って複数の区域を形成するように磁化することにより異なる極性を交替可能な磁極を生成する円柱状の鉄心を有し、鉄心は磁力の働きを受けて浮動することにより回転可能となるようにヨークの磁極の間に配置されている磁石と、
磁石に連接され、それに伴って同期回転が可能となり、カメラの所定の物件を駆動可能な連動部を有するハンドルと、
を備えることを特徴とするカメラ用駆動装置のステッピングモーター。
【請求項２】
ヨークの基部に位置する二つの磁極は、凹槽により分割されて形成されていることを特徴とする請求項１に記載のカメラ用駆動装置のステッピングモーター。
【請求項３】
ヨークは、ヨークの外側に形成されてヨークをカメラの所定の部位に固定する若干の固定槽を有することを特徴とする請求項１に記載のカメラ用駆動装置のステッピングモーター。
【請求項４】
コイルは、予め巻かれて成型され、ヨークのアーム部に被るように固定される嵌合孔を有することを特徴とする請求項１に記載のカメラ用駆動装置のステッピングモーター。
【考案の詳細な説明】
【技術分野】
【０００１】
本考案は、ステッピングモーター、詳しく言えば、カメラ用駆動装置のステッピングモーターに関するものである。
【背景技術】
【０００２】
周知のカメラ用駆動装置のステッピングモーターの原理は、磁石と磁極を有する複数のヨークとを組み合わせ、ヨークに配置されるコイルによりヨークの磁場を変化させ、かつ磁石とヨークとを相互反応させることにより、稼働することである。
しかし、複数の磁極の磁力場を形成するヨークのうちの多数のヨークは組立の際の精密度を把握しにくいという問題があるため、作動の正確性が影響を受けてしまう。また、部品が非常に多く、組立に時間がかかり、生産コストが比較的高いなどの欠点があるため、周知のカメラ用駆動装置のステッピングモーターは改善の余地がある。
【考案の開示】
【考案が解決しようとする課題】
【０００３】
本考案者は、上述の欠点を解決することに懸命に努力した結果、カメラ用駆動装置のステッピングモーターを完成させた。
本考案の主な目的は、構造を簡略化し、精密度を高くすることにより、確実に作動するという目的を達成可能であるカメラ用駆動装置のステッピングモーターを提供することである。
本考案のもう一つの目的は、組立が容易で、生産コストを削減するという目的を達成可能であるカメラ用駆動装置のステッピングモーターを提供することである。
【課題を解決するための手段】
【０００４】
上述の目的を達成するために、本考案によるカメラ用駆動装置のステッピングモーターは、一つのヨーク、二つのコイル、一つの磁石及び一つのハンドルを備える。ヨークは、一つの基部と、基部の両側に形成される二つのアーム部と、アーム部の自由端及びアーム部と基部の間に別々に形成される四つの磁極とを有する。二つのコイルは、ヨークの二つのアーム部の外周に別々に装着される。磁石は、円周方向に沿って複数の区域を形成するように磁化することにより異なる極性を交替可能な磁極を生成する円柱状の鉄心から成り、鉄心は磁力の動きを受けて浮動することにより回転可能となるようにヨークのこれらの磁極の間に配置される。ハンドルは、磁石に連接され、それに伴って同期回転が可能となる。これにより、本考案は、構造が簡略化され、精密度が高く、組立が容易になるという長所があるだけでなく、確実に稼働させ、コストの削減を実現させる目的を達成可能である。
【考案を実施するための最良の形態】
【０００５】
以下、図面と実施例に基づき本考案の特徴と効果を説明する。まず、図面の説明は次の通りである。
図１は、本考案の一実施例の組立後の斜視図である。
図２は、本考案の一実施例の組立後の正面図である。
図３は、本考案の一実施例の分解斜視図である。
図４は、本考案の一実施例の分解側面図である。
【０００６】
図１から図４に示すように、本考案の一実施例によるカメラ用駆動装置のステッピングモーターは、カメラのシャッターまたは絞りなどを制御する制御作動に用いられ、かつ一つのヨーク、二つのコイル、一つの磁石及び一つのハンドルを備える。
ヨーク１０は、金属から一体成型され、本体１１の全体をＷ型に形成し、かつ一つの逆Ｕ型の基部１２と、基部１２の両側から伸びて形成されて基部１２の向かい合う両側に位置付けられる二つのアーム部１３とを有する。二つのアーム部１３は、基部１２の両側に別々に平行する。また、アーム部１３は、底部外側に固定槽１４を有し、頂部外側に本体１１を固定するための固定槽１５を有する。また、基部１２は凹部１２１を有し、それとアーム部１３の間に二つの磁極１６と磁極１７を生成し、アーム部１３は自由端に磁極１８と磁極１９を別々に生成する。
【０００７】
二つのコイル２０は、予め細長いエナメル線２２を所定の形と寸法で巻いて造成され、かつヨーク１０の二つのアーム部１３の外周に被るように固定される嵌合孔２３を形成し、エナメル線２２の両端のヘッド部２４を介して通電される。
また、上述したヨーク１０と二つのコイル２０は、コイルユニット１を構成することが可能である。
【０００８】
磁石３０は円柱状の鉄心３１を有し、鉄心３１は円周方向に沿って同じ間隔で四つの区域を形成するように磁化することにより異なる極性を交替可能な磁極、即ち、Ｎ極とＳ極を生成する。また、磁石３０は、鉄心３１の軸心に沿って形成される枢軸孔３２と、鉄心３１の端面に位置付けられる位置決め孔３５とを有する。また、磁石３０は鉄心３１の磁力により磁極１６、磁極１７、磁極１８、磁極１９の間に位置するように浮動を保持する。
【０００９】
ハンドル４０は、磁石３０の枢軸孔３２に差し込まれる若干のリブ状の係止部４２を有する枢軸４１と、枢軸４１に連接されるプレート４３と、枢軸４１と同じ面に位置するようにプレート４３に形成されて磁石３０の位置決め孔３５に差し込まれる位置決め部４５と、プレート４３のもう一方の面に形成されて枢軸４１から偏倚する連動部４７とを有する。
また、上述した磁石３０とハンドル４０は、クランクセット４を構成することが可能である。
【００１０】
以下、本実施例の作動と機能について説明する。
クランクセット４はコイルセット１から巻かれ、かつコイルセット１はヨーク１０の磁極１６、磁極１７、磁極１８、磁極１９の磁力を介してクランクセット４の磁石３０とともに受力の均衡が保てるように維持する。また、コイルセット１とクランクセット４は互いに接触せず、クランクセット４の磁石３０は軸心の回転軸線に沿って回転可能である。
【００１１】
コイル２０にヘッド部２４を介して通電すると、コイル２０は感応電位を生成し、ヨーク１０の磁極１６、磁極１７、磁極１８、磁極１９の磁性を変化させることが可能であり、クランクセット４０の磁石３０は周囲の磁場の変化に伴って影響を受け、かつクランクセット４の磁石３０は受力の均衡が保てないため、クランクセット４０の磁石３０の軸心に沿って回転させられると同時にハンドル４０の連動部４７をクランクセット４０の磁石３０に沿って移動させる。
【００１２】
上述の実施例では、磁極１６、磁極１７、磁極１８、磁極１９はヨーク１０上に一体成型され、相対的な位置と寸法が比較的確実で、材料の特性に比較的一貫性があるため、磁性の特性により磁石３０の回転作動をよりいっそう確実にすることが可能である。また、磁石３０とハンドル４０が中心に向かい合いながら回転することは、安定と確実の効果を達成可能であるため、連動作動がよりいっそう確実になる。
【００１３】
上述した実施例の通り、本考案の長所は次の通りである。
１．ヨークは一体成型され、かつヨークが生成する複数の磁極の磁力場の精密度と確実性は周知のものより高いため、本考案によるカメラ用駆動装置のステッピングモーターは確実な稼働を達成することが可能である。
２．組合後の構造が簡略化され、部品が周知のものより少なく、組立が容易であるため、本考案によるカメラ用駆動装置のステッピングモーターは製作の際にかかる手間と材料を省き、生産コストの削減を実現させることが可能である。
【図面の簡単な説明】
【００１４】
【図１】本考案の一実施例によるカメラ用駆動装置のステッピングモーターを示す斜視図である。
【図２】本考案の一実施例によるカメラ用駆動装置のステッピングモーターを示す正面図である。
【図３】本考案の一実施例によるカメラ用駆動装置のステッピングモーターを示す分解斜視図である。
【図４】本考案の一実施例によるカメラ用駆動装置のステッピングモーターを示す分解側面図である。
【符号の説明】
【００１５】
１  コイルユニット、４  クランクセット、１０  ヨーク、１１  本体、１２  基部、１３  アーム部、１４  固定槽、１５  固定槽、１６  磁極、１７  磁極、１８  磁極、１９  磁極、２０  コイル、２２  エナメル線、２３  嵌合孔、２４  ヘッド部、３０  磁石、３１  鉄心、３２  枢軸孔、３５  位置決め孔、４０  ハンドル、４１  枢軸、４２  係止部、４３  プレート、４５  位置決め部、４７  連動部、１２１  凹部
【図１】
0003121367.tif 000003
【図２】
0003121367.tif 000004
【図３】
0003121367.tif 000005
【図４】
0003121367.tif 000006